(57)【要約】  凹版印刷用版胴（０６）およびインキ装置（０２）を備えた凹版印刷装置（１）が提案される。インキ装置（０２）は、液状またはペースト状のインキを収容するインキつぼ（０３）と、インキつぼ（０３）の内側で回動可能であり、かつインキつぼ（０３）および版胴の第１の幅区分にわたって延びる着色ローラ（１２，１３，１４）とを備えている。第１の着色ローラ（１２，１３，１４）の他に、別の少なくとも１つの着色ローラが設けられており、別の着色ローラは、版胴（０６）もしくはインキつぼ（０３）の第２の幅区分にわたって延びている。
2007533482.tif 000002
【特許請求の範囲】
【請求項１】
凹版印刷装置（１）であって、
凹版印刷用版胴（０６）およびインキ装置（０２）が設けられており、該インキ装置（０２）が、版胴（０６）に当接される少なくとも３つの着色ローラ（１２；１３；１４）を備えている形式のものにおいて、
各着色ローラ（１２；１３；１４）が、別の着色ローラ（１２；１３；１４）とは無関係に、版胴に対して運動可能になっていることを特徴とする、凹版印刷装置。
【請求項２】
凹版印刷装置（１）であって、
凹版印刷用版胴（０６）およびインキ装置（０２）が設けられており、該インキ装置（０２）が、版胴（０６）に当接される少なくとも３つの着色ローラ（１２；１３；１４）を備えている形式のものにおいて、
少なくとも３つの着色ローラ（１２；１３；１４）のうちの少なくとも１つの着色ローラ（１３）が、別の少なくとも２つの着色ローラ（１２；１４）に軸方向で重畳していることを特徴とする、凹版印刷装置。
【請求項３】
少なくとも３つの着色ローラ（１２；１３；１４）のうちの少なくとも１つの着色ローラ（１３）が、別の少なくとも２つの着色ローラ（１２；１４）に軸方向で重畳している、請求項１記載の凹版印刷装置。
【請求項４】
各着色ローラ（１２；１３；１４）が、別の着色ローラ（１２；１３；１４）とは無関係に、版胴に対して運動可能になっている、請求項２記載の凹版印刷装置。
【請求項５】
凹版印刷用版胴（０６）の、第１の着色ローラ（１３）によって着色される領域と、凹版印刷用版胴（０６）の、別の少なくとも２つの着色ローラ（１２；１４）によって着色される少なくとも２つの領域とが、軸方向で重畳している、請求項１または２記載の凹版印刷装置。
【請求項６】
インキ装置（０２）が、高さ調節可能である、請求項１または２記載の凹版印刷装置。
【請求項７】
凹版印刷用版胴（０６）を押し付ける対抗圧胴（０７）が配置されており、両方の胴（０６；０７）が、印刷ギャップ（Ｓ）を画成している、請求項１または２記載の凹版印刷装置。
【請求項８】
少なくとも３つの着色ローラ（１２；１３；１４）が、段状に配置されている、請求項１または２記載の凹版印刷装置。
【請求項９】
少なくとも２つの着色ローラ（１２；１３；１４）が、同じ軸線に沿って配置されている、請求項１または２記載の凹版印刷装置。
【請求項１０】
凹版印刷用版胴（０６）の周方向で、少なくとも２つの着色ローラ（１２；１３；１４）が変位して配置されている、請求項１または２記載の凹版印刷装置。
【請求項１１】
少なくとも２つの着色ローラ（１２；１３；１４）が幅区分に沿って延びており、これらの幅区分が、互いに重畳せずに接している、請求項１記載の凹版印刷装置。
【請求項１２】
少なくとも２つの着色ローラ（１２；１３；１４）が幅区分に沿って延びており、これらの幅区分が、相互間隔を有している、請求項１または２記載の凹版印刷装置。
【請求項１３】
着色ローラ（１２；１３；１４）が、インキを有するインキつぼ（０３）に少なくとも部分的に潜入している、請求項１または２記載の凹版印刷装置。
【請求項１４】
着色ローラ（１２；１３；１４）が、個別的にインキつぼ（０３）の内側で高さ調節可能になっている、請求項１３記載の凹版印刷装置。
【請求項１５】
着色ローラ（１２；１３；１４）が、タオル地の被覆体または粘弾性的な被覆体を備えている、請求項１または２記載の凹版印刷装置。
【請求項１６】
少なくとも３つの各着色ローラ（１２；１３；１４）が、凹版印刷用版胴（０６）の丸み部よりも短くなっている、請求項１または２記載の凹版印刷装置。
【請求項１７】
各着色ローラ（１２；１３；１４）の丸み部（Ｌ１２；Ｌ１３；Ｌ１４）の長さが、軸方向の着色ローラ（１２；１３；１４）の数Ｎで割った、凹版印刷用版胴（０６）の丸み部の長さ（Ｌ０６）の１．１倍よりも小さくなっており、つまり、
【数１】
2007533482.tif 000004
が当てはまり、ここでは、
Ｎ＝整数≧３である、請求項１６記載の凹版印刷装置。
【発明の詳細な説明】
【技術分野】
【０００１】
本発明は、請求項１または２の上位概念に記載の形式の凹版印刷装置に関する。
【０００２】
版胴の外套面には、通常銅から製作される刷版が取り付けられており、刷版は彫刻された凹部を有している。このような凹部は、インキ装置によってインキで埋められる。印刷時に、巻紙ウェブは、対抗圧胴によって版胴に押し付けられ、凹部に存在するインキを吸収する。インキ装置によって着色された刷版が紙に接触するまえに、刷版上に位置する余分なインキはドクタ装置によって掻き落とされるので、インキは、凹部にしか残留しない。
【０００３】
欧州特許第０９８０３１１号明細書から、凹版輪転印刷機のためのインキ装置が公知であり、インキ装置は、主にドクタ装置とインキつぼと捕集容器とから成っている。このインキ装置では、インキつぼも捕集容器も高さ調節可能である。
【０００４】
欧州特許第０６５５３２８号明細書から、凹版輪転印刷機のためのインキ装置が公知であり、インキ装置は、インキを収容するためのインキつぼと、着色ローラと、版胴の外套面に作用するドクタ装置とを備えている。このようなインキ装置では、インキつぼは、インキに潜入する版胴の下方に配置されている。さらにインキつぼの幅は、版胴の幅よりも小さくなっている。
【０００５】
今日では、比較的大きな巻紙ウェブ幅を有する補強された巻紙ウェブが処理される。このために１．５ｍ〜４．５ｍの幅を有する比較的長い版胴が必要である。従来慣用のインキ装置では、そのような幅の版胴は、適当な幅を有する着色ローラによって着色される。版胴も着色ローラもそのような幅を有する場合、極めて撓みやすくなっている。この場合版胴および着色ローラは、直径が小さいほど、より大きく撓む。従来慣用の、比較的大きな幅を有する巻紙ウェブを処理するための凹版輪転印刷機では、完成品において色欠けをもたらすような色変動が生じる。なぜならば着色ローラは、不均等に版胴に当接して、これによって版胴の領域ごとにそれぞれ異なる強さで着色が行われるからである。
【０００６】
着色ローラと版胴との間にギャップが生じ得るので、版胴によって支持される刷版は、部分的に全く着色されない。版胴が比較的大きな直径を有し、かつ着色ローラが比較的小さな直径を有している場合、そのようなギャップがたとえば両方の胴の間で中央の幅領域に生じるので、着色ローラは中央で版胴よりも大きく撓む。これに対して細い版胴では、版胴は着色ローラよりも大きく撓むので、縁部領域で版胴と着色ローラとの間のギャップが生じ、この場合刷版は縁部領域で着色されない。
【０００７】
ドイツ連邦共和国特許第４２３８０５４号明細書には、一貫して延びる単個の着色ローラと比較的短い追加的な支持ローラとを備えた、凹版印刷用版胴のためのインキ装置が開示されている。
【０００８】
スイス国特許公開第０１２２３２号明細書、米国特許第１２５９３９４号明細書およびドイツ連邦共和国実用新案登録第１７６８２１４号明細書には、軸方向で分割されたインキローラが記載されている。分割されたインキローラ部分は、共通の軸線上に配置されている。
【０００９】
本発明の課題は、凹版印刷装置を提供することである。
【００１０】
この課題は、請求項１または２の特徴部に記載した構成手段によって解決される。
【００１１】
本発明によって得られる格別な利点によれば、そのようなインキ装置によって、広幅の版胴でも均等な着色が実現される。なぜならば複数の着色ローラが設けられており、これによって個々の着色ローラが版胴の問題となる領域を着色するために当接することができるからである。したがって個々の着色ローラは、版胴の着色しようとする表面の全幅にわたって延在しなくてよい。むしろ個々の着色ローラの幅は、版胴の問題なく着色できる表面領域に制限され、隣接する表面領域にそれぞれ独自の着色ローラが割り当てられる。そのようなインキ装置では、比較的短い複数の着色ローラ全体が、全幅にわたって版胴に当接することができる。
【００１２】
着色ローラは、インキ装置内で段状に配置してよい。着色ローラの段状配置は、インキつぼの幅に沿っても、長さに沿っても行うことができる。
【００１３】
この場合特に有利には、少なくとも２つの着色ローラが同じ軸線に沿って配置されている。
【００１４】
インキ装置は、それぞれ１つの着色ローラの延在する２つの幅区分が重畳するように、形成することができる。
【００１５】
特に有利には、着色ローラは、少なくとも部分的にインキに潜入する。したがって着色ローラは、インキつぼからインキを直接版胴に伝達し、しかも介在するローラシステムは設けられていない。
【００１６】
また特に有利には、着色ローラは、インキつぼの内側で個別的に高さ調節可能である。これによって着色ローラは、個別的に版胴の撓みに適合させることができ、また全ての着色ローラは同じ当接力で版胴に作用することができるので、刷版の均等な着色が得られる。
【００１７】
刷版および特に刷版の凹部に対するインキ伝達を保証するために、着色ローラは、有利にはタオル地の被覆体または粘弾性的な被覆体を備えている。
【００１８】
印刷装置は複数の着色ローラを備えており、着色ローラは版胴の幅のそれぞれ異なる部分に当接可能である。
【００１９】
有利には、着色ローラは、前述のインキ装置に属する。各着色ローラに独自のインキつぼを対応配置することも考えられる。
【００２０】
次に本発明の実施例を図示し、詳しく説明する。
【００２１】
図１には、凹版輪転印刷機の公知の凹版印刷装置０１を横断面図で示した。凹版印刷装置０１は、インキ装置０２と、胴０６、たとえば版胴０６と、胴０７、たとえば対抗圧胴０７と、ドクタ０８と、ガイドシリンダ１１とから成っている。版胴０６は、外套面に、彫刻の施された凹部を有する刷版を備えている。版胴０６は図示していないフレームに回動可能に支承されている。インキ装置０２は、下方から版胴０６に当接されている。ドクタ０８は側方で版胴０６に当接されている。対抗圧胴０７は、上方から版胴０６を押し付けて、版胴０６と相俟って印刷ギャップを画成する。印刷装置０１で印刷しようとする材料ウェブ０９、たとえば巻紙ウェブ０９は、印刷ギャップを通ってガイドされる。印刷ギャップに走入するまえ、もしくは印刷ギャップから走出したあとで、巻紙ウェブ０９はそれぞれガイドシリンダ１１に巻き掛けられる。
【００２２】
インキ装置０２は、インキつぼ（インキパン）０３と着色ローラ（Einfaerbwalze；インキ着けローラ）０４とを備えている。インキつぼ０３に液状もしくはペースト状のインキが充填されている。着色ローラ０４は、インキつぼ０３の内側で回動可能に支承されていて、かつ部分的にインキに潜入している。着色ローラ０４は表面で、繊維質でタオル地の被覆体または粘弾性の被覆体を備えている。インキ装置０２全体は、版胴０６に対して高さ調節可能である。インキ装置０２の、図１に示した姿勢では、着色ローラ０４は版胴０６に当接されている。
【００２３】
印刷装置０１の運転中、版胴０６は回動している。版胴０６の、着色ローラ０４との形状接続式（formschluessig；形状による束縛）の結合に基づいて、着色ローラ０４は、版胴０６によって連行して回動することができる。着色ローラ０４は、版胴０６とは無関係に、版胴０６の周速度とは異なる周速度で回転駆動することもでき、そうしてインキを表面に沿って擦過することができる。インキつぼ０３に収容されたインキに着色ローラ０４が潜入するので、着色ローラ０４は、インキを、回転運動に基づいて版胴０６の表面に、正確に述べると版胴０６の外套面に取り付けられた刷版に、伝達する。このような作用は、着色ローラ０４の吸収力のある格別な被覆体によって有利なものとなる。被覆体の繊維質の構成または弾性的な構成に基づいて、インキは、特に刷版の凹部に導入することができる。
【００２４】
版胴０６がさらに回動すると、版に残存する、版の凹部に到達しない余分なインキは、ドクタ０８によって掻き落とされるので、凹部に存在するインキだけが残留する。残留したインキは、印刷ギャップを通過する際に、巻紙ウェブ０９によって吸収され、巻紙ウェブ０９は、対抗圧胴０７によって印刷ギャップにおいて版胴０６に押し付けられる。
【００２５】
図２および図３には、１５０ｃｍ以上の広幅の巻紙ウェブ０９を印刷しようとする際に、前述した形式の公知の印刷装置０１に広幅の版胴０６が使用される場合に生じる問題について判りやすく示した。
【００２６】
図２には、比較的大きな直径を有する版胴０６を備えた印刷装置０１における状況を示した。図２には、印刷装置０１の一部、つまりインキ装置０２の着色ローラ０４の当接された版胴０６を正面図で示した。対抗圧胴０７については端部しか看取できない。なぜならば対抗圧胴０７は、対抗圧胴０７と版胴０６とによって形成された印刷ギャップに走入する巻紙ウェブ０９によって大部分で覆われているからである。
【００２７】
図２から判るように、着色ローラ０４は下向きに撓む。このことは版胴０６にも当てはまるが、版胴０６の撓みは着色ローラ０４の撓みと比べて極めて小さくなっている。なぜならば版胴０６は極めて大きな直径ひいては比較的高い強さを有しているからである。着色ローラ０４の撓みに基づいて、着色ローラ０４の中央に、着色ローラ０４と版胴０６との間のギャップＳが形成される。ギャップＳの領域で、着色ローラ０４は、版胴０６に接触しない。したがってこの領域では、版胴０６に取り付けられた刷版に着色が行われない。結果として完成品に色欠けが生じる。
【００２８】
図３には、比較的小さな直径を有する版胴０６を備えた印刷装置０１の、図２に類似の状況を示した。自重に基づいて、また版胴０６を押し付ける対抗圧胴０７によって、版胴０６は、ここでは着色ローラ０４よりも著しく大きく撓む。この場合着色ローラ０４と版胴０６との間のギャップＳは縁部領域に形成され、これに対して着色ローラ０４は中央で版胴０６に接触している。したがって図３の場合、版胴０６に取り付けられた刷版の縁部領域は着色されないので、ここでは完成品において縁部領域で色欠けが生じる。
【００２９】
インキ装置０２を印刷装置０１に使用する際に、そのようなギャップＳは回避可能であり、これについては図４に示した。
【００３０】
図４には、そのようなインキ装置０２を平面図で示した。インキつぼ０３と、インキつぼ０３の内側で回動可能に支承された３つの着色ローラ１２；１３；１４とを図示した。各着色ローラ１２；１３；１４は、専らインキつぼ０３の、制限されたそれぞれ１つの幅区分にしか延びていない。ここでは着色ローラ１２；１３；１４は、インキつぼ０３の幅に沿って、またインキつぼ０３の長さに沿って段状に配置されている。インキつぼ０３の幅に沿った、着色ローラ１２；１３；１４の段状配置によれば、着色ローラ１２；１３；１４は、左から右に向かって次第に大きな符号で行われており、これに対してインキつぼ０３の長さに沿った段状配置によれば、着色ローラ１２；１４は１軸線上に配置されていて、かつこの軸線を中心に回動可能になっており、しかも前記軸線は、着色ローラ１３が中心に回動する１軸線に対して平行に変位されている。
【００３１】
３つの着色ローラ１２；１３；１４の全ては、インキつぼ０３の内側で配置されていて、それも各幅区分に沿ってそれぞれ１つの着色ローラ１２；１３；１４が延びていて、かつ各区分が波線で示した垂直線に重畳せずに接するように配置されている。インキ装置０２の選択的な実施例では、前述の幅区分は重畳してもよい。
【００３２】
凹版印刷用版胴０６の、第１の着色ローラ１３によって着色される領域と、凹版印刷用版胴の、別の少なくとも２つの着色ローラ１２；１４によって着色される少なくとも２つの領域とは、１実施例では、軸方向で重畳している（図６）。
【００３３】
少なくとも３つの着色ローラ１２；１３；１４は、それぞれ有利には凹版印刷用版胴０６の丸み部よりも短くなっている。
【００３４】
各着色ローラ１２；１３；１４の丸み部Ｌ１２；Ｌ１３；Ｌ１４の長さは、たとえば軸方向の着色ローラ１２；１３；１４の数Ｎで割った、１．１倍の凹版印刷用版胴０６の丸み部の長さＬ０６よりも小さくなっており、つまりたとえば
【００３５】
【数１】
2007533482.tif 000003
が当てはまり、ここでは、
Ｎ＝整数≧３である。
【００３６】
図５には、インキ装置の別の１実施例を示した。ここでもインキ装置０２は平面図で示した。ここでも３つの着色ローラ１２；１３；１４が看取され、着色ローラ１２；１３；１４はインキつぼ０３の内側で回動可能に支承されている。前述の実施例に対して、図５の実施例の着色ローラ１２；１３；１４は、同じ軸線に沿って３つ領域の全てが配置されている。ここでは幅区分に沿って着色ローラ１２；１３；１４が延びており、幅区分は、相互間隔を有している。
【００３７】
そのようなインキ装置は、巻紙ウェブ０９に相並んで複数面（頁）を印刷するのに適している。これらの印刷面は常に被印刷域によって互いに分離されている。着色ローラ１２;１３;１４の幅および数が、相並んで印刷しようとする印刷面の数に応じて選択される場合、版胴０６の非着色領域は、巻紙ウェブ０９の非印刷域と一致する。
【００３８】
図７は、印刷装置０１における、図４に示したインキ装置０２の作用を示しており、ここでは図４に示したインキ装置０２を備えた印刷装置０１を横断面図で示した。この横断面図から保持手段１６が看取され、保持手段１６によって、着色ローラ１２；１３；１４はインキつぼ０３の内側で保持される。保持手段１６を介して、着色ローラ１２；１３；１４はインキつぼ０３の内側で高さ調節可能である。３つの着色ローラ１２；１３；１４の全ては、版胴０６に直接的に当接する。保持手段１６によって、着色ローラ１２；１３；１４を版胴０６に押し付ける当接力は、着色ローラ１２；１３；１４に関してそれぞれ個別的に調節することができる。このようにして着色ローラ１２；１３；１４は、版胴０６の変形に適合させることができる。これについては図８に示しており、図８には、図７に示した印刷装置０１の一部を正面から見て示した。各着色ローラ１２；１３；１４に関する当接力の個別的な調節によって、３つの着色ローラ１２；１３；１４の全ては面整合して版胴０６に当接する。版胴０６の幅に沿って、版胴０６と着色ローラ１２；１３；１４との間のギャップＳの生じる箇所は存在しない。したがって版胴０６の外套面に取り付けられた刷版は、版胴０６の全幅にわたって均等に着色される。
【００３９】
これに応じて図９には、比較的小さな直径を有する版胴０６の場合について示した。ここでも全ての着色ローラ１２；１３；１４は面整合して版胴０６に当接する。版胴０６の縁部領域に沿って、版胴０６と着色ローラ１２；１４との間のギャップＳの生じる箇所は存在しない。なぜならばインキつぼ０３の内側で適当に高さ調節して、着色ローラ１２；１４は、縁部領域で、保持手段１６によって、着色ローラ１３と同じ当接力で版胴０６に押し付けられるからである。
【図面の簡単な説明】
【００４０】
【図１】公知の凹版輪転印刷機の印刷装置を示す横断面図である。
【図２】比較的大きな直径を有する版胴を備えた公知の印刷装置の一部を示す正面図である。
【図３】比較的小さな直径を有する版胴を備えた公知の印刷装置の一部を示す正面図である。
【図４】インキ装置の第１実施例を示す図である。
【図５】インキ装置の第２実施例を示す図である。
【図６】インキ装置の第３実施例を示す図である。
【図７】インキ装置を備えた凹版輪転印刷機の印刷装置を示す横断面図である。
【図８】比較的大きな直径を有する版胴とインキ装置とを備えた印刷装置の一部を示す正面図である。
【図９】比較的小さな直径を有する版胴とインキ装置とを備えた印刷装置の一部を示す正面図である。
【符号の説明】
【００４１】
０１  凹版印刷装置、  ０２  インキ装置、  ０３  インキつぼ、  ０４  着色ローラ、  ０６  胴、版胴、  ０７  胴、対抗圧胴、  ０８  ドクタ、  ０９  材料ウェブ、巻紙ウェブ、  １１  ガイドシリンダ、  １２  着色ローラ、  １３  着色ローラ、  １４  着色ローラ、  １６  保持手段、  Ｓ  ギャップ、  Ｌ０６  丸み部長さ、  Ｌ１２  丸み部長さ、  Ｌ１３  丸み部長さ、  Ｌ１４  丸み部長さ
【図１】
2007533482.tif 000005
【図２】
2007533482.tif 000006
【図３】
2007533482.tif 000007
【図４】
2007533482.tif 000008
【図５】
2007533482.tif 000009
【図６】
2007533482.tif 000010
【図７】
2007533482.tif 000011
【図８】
2007533482.tif 000012
【図９】
2007533482.tif 000013
【手続補正書】
【提出日】平成16年10月30日(2004.10.30)
【手続補正１】
【補正対象書類名】特許請求の範囲
【補正対象項目名】全文
【補正方法】変更
【補正の内容】
【特許請求の範囲】
【請求項１】
凹版印刷装置（１）であって、
凹版印刷用版胴（０６）およびインキ装置（０２）が設けられており、該インキ装置（０２）が、版胴（０６）に当接される少なくとも３つの着色ローラ（１２；１３；１４）を備えており、少なくとも３つの各着色ローラ（１２；１３；１４）の丸み部（Ｌ１２；Ｌ１３；Ｌ１４）の長さが、凹版印刷用版胴（０６）の丸み部の長さ（Ｌ０６）よりも小さくなっている形式のものにおいて、
各着色ローラ（１２；１３；１４）が、別の着色ローラ（１２；１３；１４）とは無関係に、版胴に対して運動可能に配置されており、着色ローラ（１２；１３；１４）が、インキを有する共通のインキつぼ（０３）に少なくとも部分的に潜入して配置されていることを特徴とする、凹版印刷装置。
【請求項２】
凹版印刷装置（１）であって、
凹版印刷用版胴（０６）およびインキ装置（０２）が設けられており、該インキ装置（０２）が、版胴（０６）に当接される少なくとも３つの着色ローラ（１２；１３；１４）を備えており、少なくとも３つの各着色ローラ（１２；１３；１４）の丸み部（Ｌ１２；Ｌ１３；Ｌ１４）の長さが、凹版印刷用版胴（０６）の丸み部の長さ（Ｌ０６）よりも小さくなっている形式のものにおいて、
少なくとも３つの着色ローラ（１２；１３；１４）のうちの少なくとも１つの着色ローラ（１３）が、別の少なくとも２つの着色ローラ（１２；１４）に、凹版印刷用版胴（０６）の軸方向で重畳して配置されていることを特徴とする、凹版印刷装置。
【請求項３】
少なくとも３つの着色ローラ（１２；１３；１４）のうちの少なくとも１つの着色ローラ（１３）と、別の少なくとも２つの着色ローラ（１２；１４）とが、凹版印刷用版胴（０６）の軸方向で、互いに重畳して配置されている、請求項１記載の凹版印刷装置。
【請求項４】
各着色ローラ（１２；１３；１４）が、別の着色ローラ（１２；１３；１４）とは無関係に、版胴に対して運動可能に配置されている、請求項２記載の凹版印刷装置。
【請求項５】
凹版印刷用版胴（０６）の、第１の着色ローラ（１３）によって着色される領域と、凹版印刷用版胴（０６）の、別の少なくとも２つの着色ローラ（１２；１４）によって着色される少なくとも２つの領域とが、軸方向で互いに重畳して配置されている、請求項１または２記載の凹版印刷装置。
【請求項６】
インキ装置（０２）が、高さ調節可能に配置されている、請求項１または２記載の凹版印刷装置。
【請求項７】
凹版印刷用版胴（０６）を押し付ける対抗圧胴（０７）が配置されており、両方の胴（０６；０７）が、印刷ギャップ（Ｓ）を画成している、請求項１または２記載の凹版印刷装置。
【請求項８】
少なくとも３つの着色ローラ（１２；１３；１４）が、段状に配置されている、請求項１または２記載の凹版印刷装置。
【請求項９】
少なくとも２つの着色ローラ（１２；１３；１４）が、同じ軸線に沿って配置されている、請求項１または２記載の凹版印刷装置。
【請求項１０】
凹版印刷用版胴（０６）の周方向で、少なくとも２つの着色ローラ（１２；１３；１４）が変位して配置されている、請求項１または２記載の凹版印刷装置。
【請求項１１】
少なくとも２つの着色ローラ（１２；１３；１４）が幅区分に沿って延びており、これらの幅区分が、互いに重畳せずに接している、請求項１記載の凹版印刷装置。
【請求項１２】
少なくとも２つの着色ローラ（１２；１３；１４）が幅区分に沿って延びており、これらの幅区分が、相互間隔を有している、請求項１または２記載の凹版印刷装置。
【請求項１３】
着色ローラ（１２；１３；１４）が、インキを有する共通のインキつぼ（０３）に少なくとも部分的に潜入して配置されている、請求項１または２記載の凹版印刷装置。
【請求項１４】
着色ローラ（１２；１３；１４）が、個別的にインキつぼ（０３）の内側で高さ調節可能に配置されている、請求項１３記載の凹版印刷装置。
【請求項１５】
着色ローラ（１２；１３；１４）が、タオル地の被覆体または粘弾性的な被覆体を備えている、請求項１または２記載の凹版印刷装置。
【請求項１６】
各着色ローラ（１２；１３；１４）の丸み部（Ｌ１２；Ｌ１３；Ｌ１４）の長さが、軸方向の着色ローラ（１２；１３；１４）の数Ｎで割った、１．１倍の凹版印刷用版胴（０６）の丸み部の長さ（Ｌ０６）よりも小さくなっており、つまり、
【数１】
2007533482.tif 000014
が当てはまり、ここでは、
Ｎ＝整数≧３である、請求項１または２記載の凹版印刷装置。
【手続補正２】
【補正対象書類名】明細書
【補正対象項目名】０００８
【補正方法】変更
【補正の内容】
【０００８】
スイス国特許公開第０１２２３２号明細書、米国特許第１２５９３９４号明細書およびドイツ連邦共和国実用新案登録第１７６８２１４号明細書には、軸方向で分割されたインキローラが記載されている。分割されたインキローラ部分は、共通の軸線上に配置されている。
ドイツ連邦共和国特許第１２３０４３７号明細書では、彫刻凹版用版胴に複数の着色ローラが当接されており、着色ローラはそれぞれ別のインキを搬送する。着色ローラの長さについては述べられていない。
【国際調査報告】
2007533482.tif 000015
2007533482.tif 000016
2007533482.tif 000017
2007533482.tif 000018
2007533482.tif 000019
2007533482.tif 000020